(57)【特許請求の範囲】
【請求項１】
ディジタルインターフェースを介してデータを送受信するデータ送受信装置であって、
記録媒体に記録されたコンテンツ群の管理情報である第１の管理情報を蓄積するデータ保持手段と、
前記データ保持手段が保持している前記管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記コンテンツ群のタイトルなどのテキスト情報として表現する第３の管理情報と前記第３の管理情報以外の第４の管理情報とに分類し、前記第４の管理情報を示す第１のリストと、前記第３の管理情報を示す前記第１のリストと同じ構成で記述された第２のリスト群とを生成し、前記第２のリスト群のリストヘッダに、前記第３の管理情報の内前記コンテンツ群を代表するものを記述し、前記第１のリストのリストヘッダに前記第３の管理情報の内前記コンテンツ群を代表するものへのリンク情報を記述することを特徴とするデータ送受信装置。
【請求項２】
ディジタルインターフェースを介してデータを送受信するデータ送受信装置であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述することを特徴とするデータ送受信装置。
【請求項３】
ディジタルインターフェースを介してデータを送受信するデータ送受信装置であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記分割の際に、前記第２、第３、第４の管理情報が存在しない場合には、空であるオブジェクトを生成し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述することを特徴とするデータ送受信装置。
【請求項４】
ディジタルインターフェースを介してデータを送受信するデータ送受信装置であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述し、
前記第１のコンテンツ群中のコンテンツが削除された場合には、前記コンテンツの管理情報を示す前記第１のリスト内のオブジェクトおよび前記第１のリスト内のオブジェクトからリンクされている前記第２のリスト内のオブジェクトおよび前記第４のリスト内のオブジェクトを削除することを特徴とするデータ送受信装置。
【請求項５】
ディジタルインターフェースを介してデータを送受信するデータ送受信装置であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述し、
前記第１のコンテンツ群中のコンテンツが第２および第３のコンテンツに分割された場合には、前記コンテンツに対応する第４の管理情報を示す前記第１のリスト内の第１のオブジェクトを第２、第３のオブジェクトに分割し、前記第１のオブジェクトからリンクされている前記第２のリスト内のオブジェクトを第４、第５のオブジェクトに分割し、前記第１のオブジェクトからリンクされている前記第４のリスト内のオブジェクトを第６、第７のオブジェクトに分割し、前記第２のオブジェクトに前記第４および前記第６のオブジェクトへのリンク情報を記述し、前記第３のオブジェクトに前記第５および前記第７のオブジェクトへのリンク情報を記述することを特徴とするデータ送受信装置。
【請求項６】
第４または第５のオブジェクトが、分割される前の第２のリスト内のオブジェクトのコピーであることを特徴とする請求項５記載のデータ送受信装置。
【請求項７】
第６または第７のオブジェクトが、分割される前の第４のリスト内のオブジェクトのコピーであることを特徴とする請求項５記載のデータ送受信装置。
【請求項８】
第４、第５、第６または第７のオブジェクトが空であることを特徴とする請求項５記載のデータ送受信装置。
【請求項９】
第１のリストのリストヘッダに第３のリストへのリンク情報を記述する
請求項２ないし８のいずれかに記載のデータ送受信装置。
【請求項１０】
コンテンツ群がオーディオデータまたはビデオデータであることを特徴とする請求項１ないし９のいずれかに記載のデータ送受信装置。
【請求項１１】
付属コンテンツが静止画ファイルまたはテキストファイルであることを特徴とする請求項２ないし９のいずれかに記載のデータ送受信装置。
【請求項１２】
コンテンツ群を代表するコンテンツが存在しない場合には、オブジェクトを空オブジェクトとする請求項２ないし５のいずれかに記載のデータ送受信装置。
【請求項１３】
記録媒体が光ディスクであることを特徴とする請求項１ないし１２のいずれかに記載のデータ送受信装置。
【請求項１４】
同じ構成で記述されたリストとは、リスト中の対応するオブジェクトの記述順序が同じである請求項１ないし５のいずれかに記載のデータ送受信装置。
【請求項１５】
ディジタルインターフェースを介してデータを送受信するデータ送受信方法であって、
記録媒体に記録されたコンテンツ群の管理情報である第１の管理情報を蓄積するデータ保持手段と、
前記データ保持手段が保持している前記管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記コンテンツ群のタイトルなどのテキスト情報として表現する第３の管理情報と前記第３の管理情報以外の第４の管理情報とに分類し、前記第４の管理情報を示す第１のリストと、前記第３の管理情報を示す前記第１のリストと同じ構成で記述された第２のリスト群とを生成し、前記第２のリスト群のリストヘッダに、前記第３の管理情報の内前記コンテンツ群を代表するものを記述し、前記第１のリストのリストヘッダに前記第３の管理情報の内前記コンテンツ群を代表するものへのリンク情報を記述することを特徴とするデータ送受信方法。
【請求項１６】
ディジタルインターフェースを介してデータを送受信するデータ送受信方法であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述することを特徴とするデータ送受信方法。
【請求項１７】
ディジタルインターフェースを介してデータを送受信するデータ送受信方法であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記分割の際に、前記第２、第３、第４の管理情報が存在しない場合には、空であるオブジェクトを生成し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述することを特徴とするデータ送受信方法。
【請求項１８】
ディジタルインターフェースを介してデータを送受信するデータ送受信方法であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述し、
前記第１のコンテンツ群中のコンテンツが削除された場合には、前記コンテンツの管理情報を示す前記第１のリスト内のオブジェクトおよび前記第１のリスト内のオブジェクトからリンクされている前記第２のリスト内のオブジェクトおよび前記第４のリスト内のオブジェクトを削除することを特徴とするデータ送受信方法。
【請求項１９】
ディジタルインターフェースを介してデータを送受信するデータ送受信方法であって、
記録媒体に記録された第１のコンテンツ群の管理情報である第１の管理情報と前記第１のコンテンツ群に付属する第２のコンテンツ群の管理情報である第２の管理情報とを蓄積するデータ保持手段と、
前記データ保持手段が保持している前記第１および前記第２の管理情報とリストとを相互に変換するリスト変換手段と、
前記リスト変換手段が変換するリストを前記ディジタルインターフェースを介して送受信するデータ送受信手段とを備え、
前記リスト変換手段は、前記第１の管理情報を前記第１のコンテンツ群のタイトルなどのテキスト情報として表現する第３の管理情報と前記第３の管理情報以外の第４の管理情報とに分類し、
前記第２、第３、第４の管理情報のそれぞれを１コンテンツに対応する単位であるオブジェクトに分割し、
前記第４の管理情報のオブジェクト群から構成される第１のリストと、前記第３の管理情報のオブジェクト群から構成される前記第１のリストと同じ構成で記述された第２のリスト群と、前記第２の管理情報のオブジェクト群の内前記第１のコンテンツ群を代表するオブジェクトから構成される第３のリストと、それ以外のオブジェクトから構成される前記第１のリストと同じ構成で記述された第４のリスト群とを生成し、
前記第１のリスト内のオブジェクトに、前記第１のリスト内のオブジェクトに対応するコンテンツの前記第３の管理情報を含む前記第２のリスト内のオブジェクトおよび前記第１のリスト内のオブジェクトに対応するコンテンツの前記第２の管理情報を含む前記第４のリスト内のオブジェクトへのリンク情報を記述し、
前記第１のコンテンツ群中のコンテンツが第２および第３のコンテンツに分割された場合には、前記コンテンツの第４の管理情報を示す前記第１のリスト内の第１のオブジェクトを第２、第３のオブジェクトに分割し、前記第１のオブジェクトからリンクされている前記第２のリスト内のオブジェクトを第４、第５のオブジェクトに分割し、前記第１のオブジェクトからリンクされている前記第４のリスト内のオブジェクトを第６、第７のオブジェクトに分割し、前記第２のオブジェクトに前記第４および前記第６のオブジェクトへのリンク情報を記述し、前記第３のオブジェクトに前記第５および前記第７のオブジェクトへのリンク情報を記述することを特徴とするデータ送受信方法。
【請求項２０】
第４または第５のオブジェクトが、分割される前の第２のリスト内のオブジェクトのコピーであることを特徴とする請求項１９記載のデータ送受信方法。
【請求項２１】
第６または第７のオブジェクトが、分割される前の第４のリスト内のオブジェクトのコピーであることを特徴とする請求項１９記載のデータ送受信方法。
【請求項２２】
第４、第５、第６または第７のオブジェクトが空であることを特徴とする請求項１９記載のデータ送受信方法。
【請求項２３】
第１のリストのリストヘッダに第３のリストへのリンク情報を記述する請求項１６ないし２２のいずれかに記載のデータ送受信方法。
【請求項２４】
コンテンツ群がオーディオデータまたはビデオデータであることを特徴とする請求項１６ないし２３のいずれかに記載のデータ送受信方法。
【請求項２５】
付属コンテンツが静止画ファイルまたはテキストファイルであることを特徴とする請求項１６ないし２３のいずれかに記載のデータ送受信方法。
【請求項２６】
コンテンツ群を代表するコンテンツが存在しない場合には、オブジェクトを空オブジェクトとする請求項１５ないし２３のいずれかに記載のデータ送受信方法。
【請求項２７】
記録媒体が光ディスクであることを特徴とする請求項１５ないし２６のいずれかに記載のデータ送受信方法。
【請求項２８】
同じ構成で記述されたリストとは、リスト中の対応するオブジェクトの記述順序が同じである請求項１５ないし１９のいずれかに記載のデータ送受信方法。
【発明の詳細な説明】
【０００１】
【発明の属する技術分野】
本発明は、光ディスク、磁気テープ等の記録媒体に記録されたデータをディジタルインターフェースを介して送受信するデータ送受信方法に関する。
【０００２】
【従来の技術】
近年、ディジタルデータのシリアル伝送方式としてＩＥＥＥ１３９４方式が注目されている。ＩＥＥＥ１３９４方式は、従来のＳＣＳＩ方式等によるコンピュータデータの伝送に代わって用いることができるだけではなく、ＡＶデータの伝送にも用いることができる。これはＩＥＥＥ１３９４方式では、２つの通信方法、アシンクロナス通信とアイソクロノス通信が定義されているからである。アイソクロノス通信は、ＡＶデータのようなリアルタイム性が要求されるデータの伝送に用いることができるデータ伝送方法である。アイソクロノス通信では、伝送の開始に先立って、データを伝送するのに必要な帯域を取得する。そして、その帯域を使ってデータの伝送を行う。これにより、データ伝送のリアルタイム性が保証される。一方、アシンクロナス通信は、コンピュータデータの伝送のような、リアルタイム性が要求されないデータの伝送に用いられる伝送方法である。これは、従来のＳＣＳＩ方式等の伝送方式と同等な方式であると考えることができる。
【０００３】
ＩＥＥＥ１３９４上の上位伝送プロトコルとして、種々の方法が提案されているが、そのうちの一つとしてＡＶプロトコルと呼ばれるものがある。ＡＶプロトコルは、ＩＥＣ６１８８３として規格化されているものであり、リアルタイム性が必要となるＡＶデータをアイソクロノス通信で送受信する方法、機器に与える制御コマンドをアシンクロナス通信で送受信する方法等が規定されている。
【０００４】
さて、上記制御コマンドの体系のうちの一つとしてＡＶ／Ｃコマンドがある。ＡＶ／Ｃコマンドでは、ＶＣＲ等に対する制御コマンドが規定されている。また、ＡＶ／Ｃコマンドでは機器が所有する情報（機器の状態、記録媒体の管理情報など）をリスト構造を用いて表現する方法が規定されている。
従来例として、この方法を図１３を用いて説明する。
【０００５】
図１３は、ＡＶ／Ｃコマンドで規定されているリスト構造の一例を示す模式図である。図に示すように、リストＡ２００１は、リストヘッダ２００２と０個以上（図ではＮ個）のオブジェクト２００３から構成される。リストヘッダ２００２には、リストＡ２００１全体に関する情報を記述する。また、オブジェクト２００３は、例えばディスクに記録されているオーディオトラックのような単位に相当するものであり、オブジェクト２００３には、例えば各オーディオトラックに関する管理情報を記述する。また、オブジェクトとしてコンピュータのファイルシステムにおけるディレクトリの概念と同じものを持つこともでき、これにより階層構造を有するリストを表現することもできる。図１３では、リストＡ２００１のオブジェクト＃３がディレクトリを示すオブジェクトである場合を示しており、リストＡ２００１のオブジェクト＃３の下の階層のリストとしてリストＢ２１０１を有する場合を示している。そして、リストＢ２１０１は、リストＡ２００１と同様にリストヘッダ２１０２とオブジェクト２１０３を有する。
【０００６】
このようなリストを機器の内部で生成し、このリストに外部機器がＩＥＥＥ１３９４を介してアクセスすることにより、外部機器は相手の機器が所有する情報を得ることができる。
また、オブジェクトがＡＶデータ等の管理情報を含んでいるような場合には、そのオブジェクトのＩＤを指定して再生コマンド等を機器に送ることにより、記録媒体に記録されているＡＶデータを再生させることもできる。さらに、リストを指定して再生コマンドを機器に送った場合には、そのリストに記述されている順序でＡＶデータを再生する。
【０００７】
また、このリスト構造を用いて様々な情報を記述することができる。例えばＡＶディスクを扱う機器の場合には、ディスクに記録されている内容を記述することもできるし、プログラム再生の順序を記述することもできる。プログラム再生の順序を記述しているリストに対して外部からアクセスすることにより、外部機器からプログラム再生の順序を指定することもできる。
【０００８】
以下、図１４を用いて、従来のデータ送受信装置におけるタイトル、テキストファイルなどのアクセス手順の一例を説明する。
図１４は、図１３のリストをオーディオトラック、オーディオのタイトル、テキストなどが記録されている光ディスクに適用した場合のリスト構造を示す図である。図１４は、コンテンツリスト１３０１、オーディオリスト１３１１、タイトルリスト１３５１の構造を示した模式図である。ここでは光ディスクには曲Ａ、Ｂの２曲分のオーディオデータが記録されているとする。オーディオデータの管理情報のうち、タイトル情報はコンテンツリスト１３０１とは独立してタイトルリスト１３５１で現される。
【０００９】
コンテンツリスト１３０１は、光ディスクに記録されているコンテンツ全体を示すリストである。コンテンツリスト１３０１は第１オブジェクト１３０３、第２オブジェクト１３０４を含んでいる。第１オブジェクト１３０３、第２オブジェクト１３０４は、ディレクトリを表すオブジェクトであり、第１オブジェクト１３０３はオーディオリスト１３１１を、第２オブジェクト１３０４はテキストファイルリスト１３３１を、それぞれ、一階層下のリストとして有している。
【００１０】
オーディオリスト１３１１は、リストヘッダ１３１２、第１オブジェクト１３１３、第２オブジェクト１３１４から構成される。ここで第１オブジェクト１３１３、第２オブジェクト１３１４は、それぞれ曲Ａ、Ｂの管理情報に対応している（オーディオデータそのものではない）。また、リストヘッダ１３１２は、曲数（オブジェクト数）１３２１から構成されている。ここでは曲数は２となる。また、第１オブジェクト１３１３、第２オブジェクト１３１４は、それぞれ各曲の再生時間１３２２、１３２４、各曲のタイトルへのポインタ１３２３、１３２５から構成される。
【００１１】
テキストファイルリスト１３３１は、リストヘッダ１３３２、第１オブジェクト１３３３、第２オブジェクト１３３４、第３オブジェクト１３３５から構成され、テキストファイルの管理情報を保持する。テキストファイルに関する管理情報としては、そのテキストファイルに記述されている内容（歌詞ファイルであるか、アーティスト情報ファイルであるか等の識別子）やファイルサイズ、ファイルの作成日時、等の情報がある。ここで、第１オブジェクト１３３３は、光ディスク全体を代表するテキストファイル、例えば、一人のアーティストによるオーディオデータのみが記録されているディスクの場合のアーティスト情報のようなテキストファイルの管理情報（テキストファイルデータそのものではない）に対応する。第２オブジェクト１３３４、第３オブジェクト１３３５は、それぞれ曲Ａ、Ｂに対応するテキストファイルの管理情報（テキストファイルデータそのものではない）に対応している。ここでは歌詞ファイル、アーティスト情報ファイルに関するファイル管理情報を保持するものする。
【００１２】
タイトルリスト１３５１の各オブジェクトは、タイトルデータそのものが記述されている。ここでは、第１オブジェクト１３３３にオーディオリスト全体を代表するディスクタイトルが、第２オブジェクト１３５４に曲Ａのタイトルが、第３オブジェクト１３５５に曲Ｂのタイトルが記述されているとする。そして、オーディオリスト１３１１の曲Ａを示すオブジェクトである第１オブジェクト１３１３内のタイトルへのポインタ１３２３には、タイトルリスト１３５１の第２オブジェクト１３５４へのリンク情報（第２オブジェクト１３５４のＩＤ）が記述されている。同様に曲Ｂを示すオブジェクトである第２オブジェクト１３１４内のタイトルへのポインタ１３２５には、タイトルリスト１３５１の第３オブジェクト１３５５へのリンク情報（第３オブジェクト１３５５のＩＤ）が記述されている。
【００１３】
このような一般的な形式のリスト構造を持つことにより、外部機器はそれぞれの機器固有のデータ保持構造を知らなくてもディジタルインターフェースを介して、データ送受信装置が保有するデータにアクセスできる。
例えば、外部機器がデータ送受信装置内のディスクタイトルにアクセスしたい場合、タイトルリスト１３５１をアクセスし、第１オブジェクト１３３３を読み出す。この場合には、タイトルリストの第１オブジェクトがディスクタイトルであることを予め規定しておく。また、曲Ａのタイトルにアクセスしたい場合には、コンテンツリスト１３０１を読み出し、オーディオリストのＩＤを取得し、オーディオリストを読み出し、曲Ａのタイトルに対するポインタ１３２３を取得し、これをもとにタイトルリスト１３５１の第２オブジェクト１３３４にアクセスする。この場合、オーディオリストのオブジェクトにアクセスできれば、対応するタイトル情報のアクセス方法は機械的にわかる。さらにまた、曲Ａ（オーディオリストの第１オブジェクト）に対応するテキストファイルの管理情報にアクセスしたい場合には、テキストファイルリスト１３３１の第２オブジェクトにアクセスする。この場合にも、テキストファイル１３３１の第２オブジェクトが曲Ａ（オーディオリストの第１オブジェクト）に対応するテキストファイルの管理情報がテキストファイルリスト１３３１の第２オブジェクトであることを規定しておく。
【００１４】
以上のように、それぞれのタイトルやテキストファイル管理情報にアクセスすることは可能である。
【００１５】
【発明が解決しようとする課題】
しかしながら上記従来の方法では、ＡＶデータの属性データであるテキスト情報やテキストファイルに対して外部機器からアクセスする際に、ＡＶデータの管理情報からリンクを辿ってアクセスする際に、テキスト情報およびテキストファイルにアクセスする手順が異なり、外部機器からのアクセスが困難であった。
【００１６】
すなわち、タイトルの場合にはＡＶデータの管理情報にタイトル情報ポインタがあり、そのポインタをたどればアクセスできたが、テキストファイルの場合には、直接テキストファイルリストにアクセスすることになる。さらに、ＡＶデータファイルのオブジェクトは１番目から個々の曲データの管理情報が記述されるが、テキストファイルのオブジェクトは１番目はディスク全体にかかわるテキストの管理情報が記述されるなど記載順序も不統一である。このため、個々のＡＶオブジェクトに対応しないディスクタイトルへのアクセス方法も、個々のＡＶオブジェクトに対応するタイトルと異なっている。
【００１７】
また上記従来の方法では、ＡＶデータの属性データであるテキスト情報やテキストファイルに対して外部機器からアクセスする際に、外部機器が新たにタイトル等の情報を書き込む場合に、外部機器が書き込む位置を設定しなければならず、処理が複雑であった。
すなわち、タイトルの場合にはＡＶデータの管理情報にタイトル情報ポインタがあり、そのポインタをたどればアクセスできたが、テキストファイルの場合には、直接テキストファイルリストにアクセスすることになる。さらに、ＡＶデータファイルのオブジェクトとテキストファイルのオブジェクトの記載順序も不統一であったり、個々のＡＶオブジェクトに対応しないディスクタイトルへのアクセス方法も、個々のＡＶオブジェクトに対応するタイトルと異なっている。このため、それぞれの書き込みに対して異なる位置を設定する必要があり、処理が繁雑になる。
【００１８】
また上記従来の方法では、ＡＶデータが削除された場合に、削除されたＡＶデータに対応するオブジェクトからリンクされている他のオブジェクトを外部機器が削除しなければならず、処理が複雑であった。
また上記従来の方法では、外部機器からのコマンドにより記録媒体に記録されているＡＶデータを分割した場合に、新たに生成されたＡＶデータに対応する管理情報に対応するオブジェクトを外部機器が生成する必要があり、処理が複雑であった。
【００１９】
このように、上記従来の方法では、数多くの問題点を有していた。
本発明は上記従来の問題点を解決するもので、ＡＶデータの属性データであるテキスト情報やテキストファイルに対して外部機器からアクセスする際に、ＡＶデータの管理情報からリンクを辿ってアクセスする際に、テキスト情報およびテキストファイルにアクセスする手順を統一することができるデータ送受信装置および方法を提供することを目的とする。
【００２０】
また、ＡＶデータの属性データであるテキスト情報やテキストファイルに対して外部機器からアクセスする際に、外部機器が新たにタイトル等の情報を書き込む場合に、外部機器が書き込む位置を設定する必要がないデータ送受信装置および方法を提供することを目的とする。
また、ＡＶデータが削除された場合に、削除されたＡＶデータに対応するオブジェクトからリンクされている他のオブジェクトを外部機器が削除する必要がないデータ送受信装置および方法を提供することを目的とする。
【００２１】
また、外部機器からのコマンドにより記録媒体に記録されているＡＶデータを分割した場合に、新たに生成されたＡＶデータに対応する管理情報に対応するオブジェクトを外部機器が生成する必要のないデータ送受信装置および方法を提供することを目的とする。
【００２２】
【課題を解決するための手段】
上記目的を達成するために本発明は、記録媒体に記録されたコンテンツ群の管理情報である第１の管理情報とリストとを相互に変換する際に、第１の管理情報をコンテンツ群のタイトルなどのテキスト情報として表現する第３の管理情報と第３の管理情報以外の第４の管理情報とに分類し、第４の管理情報を示す第１のリストと、第３の管理情報を示す第１のリストと同じ構成で記述された第２のリスト群とを生成し、第２のリスト群のリストヘッダに、第３の管理情報の内コンテンツ群を代表するものを記述し、第１のリストのリストヘッダに第３の管理情報の内コンテンツ群を代表するものへのリンク情報を記述するものである。
【００２３】
これにより、第３の管理情報の内、コンテンツ群を代表するものへのアクセス手順を容易にすることができる。
【００２４】
【発明の実施の形態】
本発明の第１の発明は、ディジタルインターフェースを介してデータを送受信するデータ送受信装置および方法であって、記録媒体に記録されたコンテンツ群の管理情報である第１の管理情報を蓄積するデータ保持手段と、データ保持手段が保持している管理情報とリストとを相互に変換するリスト変換手段と、リスト変換手段が変換するリストをディジタルインターフェースを介して送受信するデータ送受信手段とを備え、リスト変換手段は、第１の管理情報をコンテンツ群のタイトルなどのテキスト情報として表現する第３の管理情報と第３の管理情報以外の第４の管理情報とに分類し、第４の管理情報を示す第１のリストと、第３の管理情報を示す第１のリストと同じ構成で記述された第２のリスト群とを生成し、第２のリスト群のリストヘッダに、第３の管理情報の内コンテンツ群を代表するものを記述し、第１のリストのリストヘッダに第３の管理情報の内コンテンツ群を代表するものへのリンク情報を記述するものである。
【００２５】
また、本発明の第２の発明は、ディジタルインターフェースを介してデータを送受信するデータ送受信装置および方法であって、記録媒体に記録された第１のコンテンツ群の管理情報である第１の管理情報と第１のコンテンツ群に付属する第２のコンテンツ群の管理情報である第２の管理情報とを蓄積するデータ保持手段と、データ保持手段が保持している第１および第２の管理情報とリストとを相互に変換するリスト変換手段と、リスト変換手段が変換するリストをディジタルインターフェースを介して送受信するデータ送受信手段とを備え、リスト変換手段は、第１の管理情報を第１のコンテンツ群のタイトルなどのテキスト情報として表現する第３の管理情報と第３の管理情報以外の第４の管理情報とに分類し、第２〜第４の管理情報のそれぞれを１コンテンツに対応する単位であるオブジェクトに分割し、第４の管理情報のオブジェクト群から構成される第１のリストと、第３の管理情報のオブジェクト群から構成される第２のリスト群と、第２の管理情報のオブジェクト群の内第１のコンテンツ群を代表するオブジェクトから構成される第３のリストと、それ以外のオブジェクトから構成される第４のリスト群とを生成し、第１のリスト内のオブジェクトに、第１のリスト内のオブジェクトに対応するコンテンツの第３の管理情報を含む第２のリスト内のオブジェクトおよび第１のリスト内のオブジェクトに対応するコンテンツの第２の管理情報を含む第４のリスト内のオブジェクトへのリンク情報を記述するものである。
【００２６】
また、本発明の第３の発明は、ディジタルインターフェースを介してデータを送受信するデータ送受信装置および方法であって、記録媒体に記録された第１のコンテンツ群の管理情報である第１の管理情報と第１のコンテンツ群に付属する第２のコンテンツ群の管理情報である第２の管理情報とを蓄積するデータ保持手段と、データ保持手段が保持している第１および第２の管理情報とリストとを相互に変換するリスト変換手段と、リスト変換手段が変換するリストをディジタルインターフェースを介して送受信するデータ送受信手段とを備え、リスト変換手段は、第１の管理情報を第１のコンテンツ群のタイトルなどのテキスト情報として表現する第３の管理情報と第３の管理情報以外の第４の管理情報とに分類し、第２〜第４の管理情報のそれぞれを１コンテンツに対応する単位であるオブジェクトに分割し、分割の際に、第２〜第４の管理情報が存在しない場合には、空であるオブジェクトを生成し、第４の管理情報のオブジェクト群から構成される第１のリストと、第３の管理情報のオブジェクト群から構成される第２のリスト群と、第２の管理情報のオブジェクト群の内第１のコンテンツ群を代表するオブジェクトから構成される第３のリストと、それ以外のオブジェクトから構成される第４のリスト群とを生成し、第１のリスト内のオブジェクトに、第１のリスト内のオブジェクトに対応するコンテンツの第３の管理情報を含む第２のリスト内のオブジェクトおよび第１のリスト内のオブジェクトに対応するコンテンツの第２の管理情報を含む第４のリスト内のオブジェクトへのリンク情報を記述するものである。
【００２７】
また、本発明の第４の発明は、ディジタルインターフェースを介してデータを送受信するデータ送受信装置および方法であって、記録媒体に記録された第１のコンテンツ群の管理情報である第１の管理情報と第１のコンテンツ群に付属する第２のコンテンツ群の管理情報である第２の管理情報とを蓄積するデータ保持手段と、データ保持手段が保持している第１および第２の管理情報とリストとを相互に変換するリスト変換手段と、リスト変換手段が変換するリストをディジタルインターフェースを介して送受信するデータ送受信手段とを備え、リスト変換手段は、第１の管理情報を第１のコンテンツ群のタイトルなどのテキスト情報として表現する第３の管理情報と第３の管理情報以外の第４の管理情報とに分類し、第２〜第４の管理情報のそれぞれを１コンテンツに対応する単位であるオブジェクトに分割し、第４の管理情報のオブジェクト群から構成される第１のリストと、第３の管理情報のオブジェクト群から構成される第２のリスト群と、第２の管理情報のオブジェクト群の内第１のコンテンツ群を代表するオブジェクトから構成される第３のリストと、それ以外のオブジェクトから構成される第４のリスト群とを生成し、第１のリスト内のオブジェクトに、第１のリスト内のオブジェクトに対応するコンテンツの第３の管理情報を含む第２のリスト内のオブジェクトおよび第１のリスト内のオブジェクトに対応するコンテンツの第２の管理情報を含む第４のリスト内のオブジェクトへのリンク情報を記述し、第１のコンテンツ群中のコンテンツが削除された場合には、そのコンテンツの管理情報を示す第１のリスト内のオブジェクトおよび第１のリスト内のオブジェクトからリンクされている第２のリスト内のオブジェクトおよび第４のリスト内のオブジェクトを削除するものである。
【００２８】
また、本発明の第５の発明は、ディジタルインターフェースを介してデータを送受信するデータ送受信装置および方法であって、記録媒体に記録された第１のコンテンツ群の管理情報である第１の管理情報と第１のコンテンツ群に付属する第２のコンテンツ群の管理情報である第２の管理情報とを蓄積するデータ保持手段と、データ保持手段が保持している第１および第２の管理情報とリストとを相互に変換するリスト変換手段と、リスト変換手段が変換するリストをディジタルインターフェースを介して送受信するデータ送受信手段とを備え、リスト変換手段は、第１の管理情報を第１のコンテンツ群のタイトルなどのテキスト情報として表現する第３の管理情報と第３の管理情報以外の第４の管理情報とに分類し、第２〜第４の管理情報のそれぞれを１コンテンツに対応する単位であるオブジェクトに分割し、第４の管理情報のオブジェクト群から構成される第１のリストと、第３の管理情報のオブジェクト群から構成される第２のリスト群と、第２の管理情報のオブジェクト群の内第１のコンテンツ群を代表するオブジェクトから構成される第３のリストと、それ以外のオブジェクトから構成される第４のリスト群とを生成し、第１のリスト内のオブジェクトに、第１のリスト内のオブジェクトに対応するコンテンツの第３の管理情報を含む第２のリスト内のオブジェクトおよび第１のリスト内のオブジェクトに対応するコンテンツの第２の管理情報を含む第４のリスト内のオブジェクトへのリンク情報を記述し第１のコンテンツ群中のコンテンツが第２および第３のコンテンツに分割された場合には、そのコンテンツに対応する第４の管理情報を示す第１のリスト内の第１のオブジェクトを第２、第３のオブジェクトに分割し、第１のオブジェクトからリンクされている第２のリスト内のオブジェクトを第４、第５のオブジェクトに分割し、第１のオブジェクトからリンクされている第４のリスト内のオブジェクトを第６、第７のオブジェクトに分割し、第２のオブジェクトに第４および第６のオブジェクトへのリンク情報を記述し、第３のオブジェクトに第５および第７のオブジェクトへのリンク情報を記述するものである。
【００２９】
また、本発明の第６の発明は、ディジタルインターフェースを介してデータを送受信するデータ送受信装置および方法であって、記録媒体に記録されたコンテンツ群の管理情報を蓄積するデータ保持手段と、データ保持手段が保持している管理情報とリストとを相互に変換するリスト変換手段と、リスト変換手段が変換するリストをディジタルインターフェースを介して送受信するデータ送受信手段とを備え、リスト変換手段は、管理情報を１コンテンツに対応する単位であるオブジェクトに分割し、コンテンツ群を代表するコンテンツに対応する管理情報のオブジェクト群から構成される第１のリストと、それ以外の管理情報のオブジェクト群から構成される第２のリストを生成するものである。
【００３０】
以下、本発明の実施の形態について、図面を用いて説明する。
（実施の形態１）
本発明の実施の形態１によるデータ送受信装置および方法について、図面を参照しながら説明する。本実施の形態は、本発明の第１の発明のデータ送受信装置および方法についての例である。
【００３１】
以下の説明で、記録媒体に記録されたコンテンツ群としては、オーディオデータを例とする。また、その管理情報である第１の管理情報として、オーディオデータの再生時間、タイトル、オーディオデータ数（曲数）等を例とする。これらは通常ＴＯＣ（テーブル・オブ・コンテンツ）として、記録媒体に記録されている。また、第３の管理情報としてはタイトル情報、第４の管理情報としては各曲の再生時間、第１のリストとしてオーディオリスト、第２のリスト群としてタイトルリスト（本実施の形態ではタイトルリストは１つだけであるが、一般的には複数のリストを持つ場合もある）、第３の管理情報の内コンテンツ群を代表するものとしてディスクタイトルを例とする。
【００３２】
図１は、記録再生信号処理手段１０１、システム制御手段１０３、データ保持手段１０４、データ送受信手段１０５、光ヘッド１０６、光ディスク１０７、ディジタルインターフェース１０８、リスト変換手段１０９から構成されるデータ送受信装置のブロック図である。
図１のデータ送受信装置の動作について説明する。ここで光ディスク１０７には、オーディオデータおよびそのオーディオデータの付属データ、およびこれらのデータの管理情報が記録されているとする。図１のデータ送受信装置は、光ディスク１０７が装着されると、管理情報データを再生する。再生されたデータは、記録再生信号処理手段１０１によって復調、ＥＣＣ復号等の処理を施されて、システム制御手段１０３に入力される。システム制御手段１０３に入力された管理情報データはデータ保持手段１０４に入力され、データ保持手段１０４で保持される。
【００３３】
データ保持手段１０４で保持される管理情報データとしては、オーディオデータの再生時間、タイトル、オーディオデータ数（曲数）等があるとする。
ここで外部装置からディジタルインターフェース１０８を介して光ディスク１０７のオーディオデータの管理情報を入出力する場合について説明する。管理情報の入出力は、管理情報をリスト構造を用いて表現し、そのリストにアクセス（読み出し、書き込み）を行うことにより行う。
【００３４】
外部装置からディジタルインターフェース１０８を介して、光ディスク１０７に記録されたオーディオデータの管理情報を読み出す命令パケットがデータ送受信手段１０５に入力されると、データ送受信手段１０５は命令パケットのヘッダ等の解析を行い、その命令をシステム制御手段１０３に入力する。システム制御手段１０３は読み出し命令を受信すると、データ保持手段１０４に保持された管理情報をリスト変換手段１０９に対して出力する。リスト変換手段１０９はデータ保持手段１０４から管理情報を受け取ると、それを予め定められたリスト構造に変換し、システム制御手段１０３に対して出力する。システム制御手段１０３はリスト変換手段１０３から入力されたリストをデータ送受信手段１０５に対して出力し、データ送受信手段１０５はそのリストにヘッダ等を付加してパケット化し、ディジタルインターフェース１０８に対して出力する。
【００３５】
また、外部装置からディジタルインターフェース１０８を介して、光ディスク１０７に記録されたオーディオデータの管理情報を書き込む命令を示すパケットがデータ送受信手段１０５に入力されると、データ送受信手段１０５はパケットのヘッダ等の解析を行い、その命令をシステム制御手段１０３に入力する。またシステム制御手段１０３は書き込み命令を受信すると、リスト変換手段１０９が保持しているリストに対して書き込み命令に記述された書き込みを行う。そしてリスト変換手段１０９に対して行われた変更をデータ保持手段１０４に保持されている管理情報に対しても行う。システム制御手段１０３は、光ディスク１０７が排出されるときなどにデータ保持手段１０４に保持された管理情報を読み出して、記録再生信号処理手段１０１を介して光ディスク１０７に記録する。
【００３６】
ここでリスト変換手段１０９が生成するリストの構造を図２に示す。図２は、コンテンツリスト２７１、オーディオリスト２０１、タイトルリスト２３１の構造を示した模式図である。ここでは光ディスク１０７には曲Ａ、Ｂの２曲分のオーディオデータが記録されているとする。ここでは、オーディオデータの管理情報のうち、タイトル情報をコンテンツリスト２７１とは独立してタイトルリスト２３１で表現している。
【００３７】
コンテンツリスト２７１は、光ディスク１０７に記録されているコンテンツ全体を示すリストである。コンテンツリスト２７１は第１オブジェクト２７３を含んでいる。第１オブジェクト２７３はディレクトリを表すオブジェクトであり、オーディオリスト２０１を１階層下のリストとして有している。
タイトルリスト２３１はコンテンツリスト２７１とは独立したリストである。本実施形態ではタイトルリストは１つだけの例を示しているが、たとえば、光ディスク１０７が複数の言語に対応した複数のタイトルを持っている場合には、それぞれの言語毎に独立なリストを作ってもよい。この場合、コンテンツリストと同様に、親リストに各言語毎の子リストがぶら下がる構造をとることも可能である。
【００３８】
オーディオリスト２０１は、リストヘッダ２０２、第１オブジェクト２０３、第２オブジェクト２０４から構成される。ここで第１オブジェクト２０３、第２オブジェクト２０４はそれぞれ曲Ａ、Ｂの管理情報に対応している（オーディオデータそのものではない）。また、リストヘッダ２０２は、曲数（オブジェクト数）２１３、および、ディスクタイトルへのポインタ２１４から構成されている。ここでは曲数は２となる。また、第１オブジェクト２０３、第２オブジェクト２０４はそれぞれ各曲の再生時間２２１、２２４、各曲のタイトルへのポインタ２２２、２２５から構成される。
【００３９】
タイトルリスト２３１の各オブジェクトはタイトルデータそのものが記述されている。ここではリストヘッダにオーディオリスト全体を代表するディスクタイトルが、第１オブジェクト２３３に曲Ａのタイトルが、第２オブジェクト２３４に曲Ｂのタイトルが記述されているとする。そして、オーディオリスト２０１のリストヘッダ内のディスクタイトルへのポインタ２１４にはタイトルリスト２３１のリストヘッダ２３２へのリンク情報（ＩＤ）が、記述されている。曲Ａを示すオブジェクトである第１オブジェクト２０３内のタイトルへのポインタ２２２には、タイトルリスト２３１の第１オブジェクト２３３へのリンク情報（第１オブジェクト２３３のＩＤ）が記述されている。同様に曲Ｂを示すオブジェクトである第２オブジェクト２０４内のタイトルへのポインタ２２５には、タイトルリスト２３１の第２オブジェクト２３４へのリンク情報（第２オブジェクト２３４のＩＤ）が記述されている。
【００４０】
これにより、外部機器はディジタルインターフェース１０８を介して、データ送受信装置が保有するオーディオリストのオブジェクトからそのオブジェクト（曲）に対応するタイトルを探し出すことができる。例えば、外部機器が本発明のデータ送受信装置内のディスクタイトルにアクセスしたい場合について、データのやり取りを図３に示す。（１）まず外部機器から、データ送受信装置に対してコンテンツリスト２７１の読み出し要求を送る。（２）これに応じてデータ送受信装置はコンテンツリスト２７１を読み出して、外部機器に送信する。この結果外部機器はオーディオリストのＩＤを取得する。（３）そして外部機器はオーディオリストのＩＤを元にして、オーディオリスト２０１の読み出し要求を発行する。（４）データ送受信装置はオーディオリスト２０１を読み出し、送信する。外部機器はディスクタイトルへのポインタ２１４を得る。（５）そして、このポインタ２１４を元に外部機器はタイトルリスト２３１のリストヘッダ２３２に格納されたディスクタイトル２４３の読み出し要求を送る。（６）データ送受信装置はディスクタイトル２４３を読み出し、外部機器に送信する。このようにして、外部機器はディスクタイトルにアクセスすることができる。
【００４１】
以上のように本発明のデータ送受信装置では、ＡＶデータ、ＡＶデータに対するタイトル等のテキストデータが記録されている記録媒体に対してディジタルインターフェースを介してアクセスする際に、記録媒体の管理情報をリスト構造で表現する。そのリスト構造としては、ＡＶデータの管理情報、テキストデータの管理情報毎にリストを生成し、ＡＶデータのリストのオブジェクトには関連するテキストデータ管理情報のリストへのポインタを記述する。
【００４２】
このように本発明のデータ送受信装置を用いることにより、ＡＶデータの属性データであるテキスト情報に対して外部機器からアクセスする際に、ＡＶデータの管理情報からリンクを辿ることによりアクセスすることができる。
（実施の形態２）
本発明の実施の形態２によるデータ送受信装置について、図１、図４を参照しながら説明する。本実施の形態は、本発明の第２の発明のデータ送受信装置および方法についての例である。
【００４３】
また、以下の実施の形態２〜５の説明で、記録媒体に記録された第１のコンテンツ群としては、オーディオデータを例とする。また、その管理情報である第１の管理情報として、オーディオデータの再生時間、タイトル、オーディオデータ数（曲数）等を例とする。これらは通常ＴＯＣ（テーブル・オブ・コンテンツ）として、記録媒体に記録されている。また、第２のコンテンツ群として、テキストデータファイル、第２管理情報として、オーディオデータとテキストデータファイルの関係（どのオーディオデータにどのテキストデータファイルが付属しているかを示す情報）、テキストデータファイルの大きさ等、第３の管理情報としてはタイトル情報、第４の管理情報としては各曲の再生時間、第１のリストとしてオーディオリスト、第２のリスト群としてタイトルリスト（本実施の形態ではタイトルリストは１つだけであるが、一般的には複数のリストを持つ場合もある）、第３のリストとして第１テキストファイルリスト、第４のリストとして第２テキストファイルリスト、第３の管理情報の内第１のコンテンツ群を代表するものとしてディスクタイトルを例とする。
【００４４】
図１のデータ送受信装置の基本的動作については実施の形態１と同様である。光ディスク１０７に記録されているオーディオデータの付属データとしては、歌詞、アーティスト情報を含んだテキストデータファイルが記録されているとする。
また、データ保持手段１０４で保持される管理情報データとしては、オーディオデータの再生時間、タイトル、オーディオデータ数（曲数）、オーディオデータとテキストデータファイルの関係（どのオーディオデータにどのテキストデータファイルが付属しているかを示す情報）、テキストデータファイルの大きさ等があるとする。
【００４５】
リスト変換手段１０９が生成するリストの構造を図４に示す。図４は、コンテンツリスト２７１、オーディオリスト２０１、タイトルリスト２３１、第１のテキストファイルリスト３８１、第２のテキストファイルリスト３５１の構造を示した模式図である。ここでは光ディスク１０７には曲Ａ、Ｂの２曲分のオーディオデータが記録されているとする。ここでは、オーディオデータの管理情報のうち、タイトル情報をコンテンツリスト２７１とは独立してタイトルリスト２３１で表現している。
【００４６】
コンテンツリスト２７１は、光ディスク１０７に記録されているコンテンツの全体を示すリストである。コンテンツリスト２７１は第１〜第３オブジェクト２７３〜２７５を含んでいる。第１〜第３オブジェクト２７３〜２７５はディレクトリを表すオブジェクトであり、それぞれオーディオリスト２０１、第１テキストファイルリスト３８１、第２テキストファイルリスト３５１を１階層下のリストとして有している。
【００４７】
オーディオリスト２０１は、リストヘッダ２０２、第１オブジェクト２０３、第２オブジェクト２０４から構成される。ここで第１オブジェクト２０３、第２オブジェクト２０４はそれぞれ曲Ａ、Ｂの管理情報に対応している（オーディオデータそのものではない）。また、リストヘッダ２０２は、曲数（オブジェクト数）２１３、ディスクタイトルへのポインタ２１４、カバーテキスト３１５から構成されている。ここでは曲数は２となる。また、第１オブジェクト２０３、第２オブジェクト２０４はそれぞれ各曲の再生時間２２１、２２４、各曲のタイトルへのポインタ２２２、２２５、各曲のテキストファイルへのポインタ３２３、３２６から構成される。
【００４８】
タイトルリスト２３１の各オブジェクトはタイトルデータそのものが記述されている。ここではリストヘッダにオーディオリスト全体を代表するディスクタイトルが、第１オブジェクト２３３に曲Ａのタイトルが、第２オブジェクト２３４に曲Ｂのタイトルが記述されているとする。そして、オーディオリスト２０１のリストヘッダ内のディスクタイトルへのポインタ２１４にはタイトルリスト２３１のリストヘッダ２３２へのリンク情報（ＩＤ）が、記述されている。曲Ａを示すオブジェクトである第１オブジェクト２０３内のタイトルへのポインタ２２２には、タイトルリスト２３１の第１オブジェクト２３３へのリンク情報（第１オブジェクト２３３のＩＤ）が記述されている。同様に曲Ｂを示すオブジェクトである第２オブジェクト２０４内のタイトルへのポインタ２２５には、タイトルリスト２３１の第２オブジェクト２３４へのリンク情報（第２オブジェクト２３４のＩＤ）が記述されている。
【００４９】
これにより、外部機器はディジタルインターフェース１０８を介して、データ送受信装置が保有するオーディオリストのオブジェクトからそのオブジェクト（曲）に対応するタイトルを探し出すことができる。例えば、外部機器が曲Ｂのタイトルにアクセスしたい場合には、まずコンテンツリスト２７１を読み出してオーディオリストのＩＤを取得する。そしてオーディオリストのＩＤを元にして、オーディオリスト２０１を読み出し、曲Ｂのタイトルへのポインタ２２５を得る。そして、このポインタ２２５を元にタイトルリスト２３１の第２オブジェクト２３４、すなわち曲Ｂのタイトル２４２にアクセスすることができる。
【００５０】
第１テキストファイルリスト３８１には、ディスク全体を代表するテキストファイルに関する管理情報（テキストファイルのデータそのものではない）が納めされる。例えば１アーティストにより生成されたオーディオデータのみが記録されている場合のアーティスト情報のようなテキストファイルである。このようなテキストファイルは、例えばディスクが停止しているときに再生するような目的で用いられる。そして、オーディオリスト２０１のリストヘッダ２０２内のカバーテキストファイル情報へのポインタ３１５には、第１テキストファイルリスト３８１の第１オブジェクト３８３へのリンク情報（第１オブジェクト３８３のＩＤ）が記述されている。
【００５１】
第２テキストファイルリスト３５１の各オブジェクトはテキストファイルに関する管理情報（テキストファイルのデータそのものではない）が記述されている。テキストファイルに関する管理情報としては、そのテキストファイルに記述されている内容（歌詞ファイルであるか、アーティスト情報ファイルであるか等の識別子）やファイルサイズ、ファイルの作成日時、等の情報がある。ここでは第１オブジェクト３５３に曲Ａのテキストファイルに関する情報が、第２オブジェクト３５４に曲Ｂのテキストファイルに関する情報が記述されているとする。そして、オーディオリスト２０１内の曲Ａを示すオブジェクトである第１オブジェクト２０３内のテキストファイル情報へのポインタ３２３には、第２テキストファイルリスト３５１の第１オブジェクト３５３へのリンク情報（第１オブジェクト３５３のＩＤ）が記述されている。また、曲Ｂを示すオブジェクトである第２オブジェクト２０４内のテキストファイル情報へのポインタ３２６には、第２テキストファイルリスト３５１の第２オブジェクト３５４へのリンク情報（第２オブジェクト３５４のＩＤ）が記述されている。
【００５２】
これにより、外部機器はディジタルインターフェース１０８を介して、データ送受信装置が保有するオーディオリストのオブジェクトからそのオブジェクト（曲）に対応するテキストファイルの情報を探し出すことができる。例えば、外部機器が曲Ｂの歌詞ファイルの管理情報にアクセスしたい場合の外部機器とデータ送受新装置との間のやり取りを図５に示す。まずコンテンツリスト２７１を読み出して、オーディオリストのＩＤを取得する（（１）、（２））。そしてオーディオリストのＩＤを元にして、オーディオリスト２０１を読み出し、曲Ｂのテキストファイル情報へのポインタ３２６を得る（（３）、（４））。そして、このポインタ３２６を元に第２テキストファイルリスト３５１の第２オブジェクト３５４の中に記述されている曲Ｂの歌詞ファイルの管理情報３６４にアクセスすることができる（（５）、（６））。また、歌詞ファイルやアーティスト情報ファイルのデータをディスクから再生出力させる場合には、第２テキストファイルリスト３５１のオブジェクトを指定して再生コマンド（データ出力コマンド）を外部機器からデータ送受信装置に対して送信することにより（７）、データを出力させることができる（８）。
【００５３】
以上のように本発明のデータ送受信装置では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、ＡＶデータ全体を代表するテキストファイルの管理情報、その他のテキストファイルの管理情報毎にリストを生成し、ＡＶデータのリストのオブジェクトには関連するテキストデータおよびテキストファイルの管理情報のリストへのポインタを記述する。
【００５４】
このように本発明のデータ送受信装置を用いることにより、ＡＶデータの属性データであるテキスト情報やテキストファイルに対して外部機器からアクセスする際に、ＡＶデータの管理情報からリンクを辿ることによりアクセスすることができる。またその際には、ＡＶデータ全体を代表するテキストファイルの管理情報は別ファイルに格納されており、個個のＡＶデータに付属するテキスト情報およびその他のテキストファイルの管理情報が格納されたリストはＡＶデータの管理情報が格納されたリストと同じ構成で記述されているので、外部機器からはテキスト情報およびテキストファイルに同じ手順でアクセスすることができ、外部機器からのアクセスの簡易化を図ることができる。
【００５５】
（実施の形態３）
本発明の実施の形態３によるデータ送受信装置および方法について、図１、図６を参照しながら説明する。本実施の形態は、本発明の第３の発明のデータ送受信装置および方法についての例である。また、図１のデータ送受信装置の基本的動作については、実施の形態１と同様である。
【００５６】
ここでリスト変換手段１０９が生成するリストの構造を図６に示す。図６は、コンテンツリスト２７１、オーディオリスト２０１、タイトルリスト２３１、第１テキストファイルリスト３８１、第２テキストファイルリスト３５１の構造を示した模式図である。ここでは光ディスク１０７には曲Ａ、Ｂの２曲分のオーディオデータが記録されているとする。
【００５７】
コンテンツリスト２７１、オーディオリスト２０１、タイトルリスト２３１、第１テキストファイルリスト３８１、第２テキストファイルリスト３５１の基本的構造は第２の実施の形態と同様である。第３の実施の形態では、曲Ｂ自体は光ディスク１０７に記録されているが、曲Ｂのタイトル情報およびテキストファイルが記録されていない場合の動作について説明する。
【００５８】
この際、タイトルリスト２３１には曲Ｂに対応するオブジェクトである第２オブジェクト３３４は存在するが、その中身（タイトル４４２）は何も記述されず空の状態とする。
ここで外部機器が曲Ｂのタイトルを書き込む場合について図７（ａ）を用いて説明する。まずコンテンツリスト２７１を読み出してオーディオリストのＩＤを取得する（（１）、（２））。そしてオーディオリストのＩＤを元にして、オーディオリスト２０１を読み出し、曲Ｂのタイトルへのポインタ２２５を得る（（３）、（４））。これにより、曲Ｂのタイトルが、タイトルリスト２３１の第２オブジェクト２３４に記述されるべきであることがわかる。そして、外部機器は所望のタイトルをタイトルリスト２３１の第２オブジェクト２３４に書き込む（５）。これにより、外部機器から光ディスク１０７に記録されている曲Ｂに対してタイトル４４２を付加することができる。
【００５９】
また、第２テキストファイルリスト３５１には曲Ｂに対応するオブジェクトである第２オブジェクト３５４は存在するが、その中身（アーティスト情報ファイルの管理情報４６３、歌詞ファイルの管理情報４６４）は何も記述されず空の状態とする。ここで外部機器が曲Ｂの歌詞ファイルの管理情報を書き込む場合について図７（ｂ）を用いて説明する。まずコンテンツリスト２７１を読み出してオーディオリストのＩＤを取得する（（１）、（２））。そしてオーディオリストのＩＤを元にして、オーディオリスト２０１を読み出し、曲Ｂのテキストファイル情報へのポインタ３２６を得る（（３）、（４））。これにより、曲Ｂのテキストファイル情報が、第２テキストファイルリスト３５１の第２オブジェクト３５４に記述されるべきであることがわかる。そこで、第２テキストファイルリスト３５１のオブジェクトを指定して記録コマンド（データ入力コマンド）を外部機器からデータ送受信装置に対して発行することにより（５）、データを入力することができる（６）。
【００６０】
ここでは第２テキストファイルリスト３５１へのアクセスについて説明したが、第１テキストファイルリスト３８１へのアクセスも同様の手順で実行できる。以上のように本発明のデータ送受信装置では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。この際に、ＡＶデータに対応するテキストデータ等が記録媒体に記録されていない場合には、テキストデータ等のリスト内のオブジェクトを空としておく。
【００６１】
このように本発明のデータ送受信装置を用いることにより、ＡＶデータの属性データであるテキスト情報やテキストファイルに対して外部機器からアクセスする際に、ＡＶデータの管理情報からリンクを辿ることによりアクセスすることができる。またその際には、テキスト情報およびテキストファイルが同じ構成で記述されているので、外部機器からはテキスト情報およびテキストファイルに同じ手順でアクセスすることができ、外部機器からのアクセスの簡易化を図ることができる。またこの際に、タイトル等のテキスト情報等が記録媒体に記録されていなくても空のオブジェクトを生成しておくので、外部機器が新たにタイトル等の情報を書き込む場合に、書き込む位置を予め設定しておくことができる。
【００６２】
（実施の形態４）
本発明の実施の形態４によるデータ送受信装置および方法について、図１、図４、図８を参照しながら説明する。本実施の形態は、本発明の第４の発明のデータ送受信装置および方法についての例である。
図１のデータ送受信装置の基本的動作については、実施の形態２と同様である。また、光ディスク１０７には実施の形態２と同じデータが記録されているとする。すなわち、初期状態においてリスト変換手段１０９が生成するリストの構造は、図４の通りである。
【００６３】
今ここで、曲Ｂが削除された場合のデータ送受信装置の動作について説明する。この際、曲Ｂに対応するオブジェクトであるオーディオリスト２０１の第２オブジェクト２０４が削除される。これにより第２オブジェクト２０４の中身である再生時間２２４、タイトルへのポインタ２２５、テキストファイル情報へのポインタ３２６も削除される。そして、タイトルへのポインタ２２５が指している先、すなわちタイトルリスト２３１の第２オブジェクト２３４、およびテキストファイル情報へのポインタ３２６が指している先、すなわち第２テキストファイルリスト３５１の第２オブジェクト３５４も削除される。これらのオブジェクトの削除は、タイトル２４２、歌詞ファイルの管理情報３６３、アーティスト情報ファイルの管理情報３６４の削除を意味する。
【００６４】
以上のデータ送受信装置内の動作により、曲Ｂが削除された後にリスト変換手段１０９が生成するリスト構造は図８のようになる。
以上のように本発明のデータ送受信装置では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。そしてＡＶデータが削除された場合には、削除されたＡＶデータに対応するオブジェクトからリンクされているタイトルリスト内のオブジェクトおよびテキストファイル内のオブジェクトも同時に削除する。
【００６５】
このように本発明のデータ送受信装置を用いることにより、ＡＶデータの属性データであるテキスト情報やテキストファイルに対して外部機器からアクセスする際に、ＡＶデータの管理情報からリンクを辿ることによりアクセスすることができる。またその際には、テキスト情報およびテキストファイルが同じ構成で記述されているので、外部機器からはテキスト情報およびテキストファイルに同じ手順でアクセスすることができ、外部機器からのアクセスの簡易化を図ることができる。またこの際に、ＡＶデータが削除された場合に、削除されたＡＶデータに対応するオブジェクトからリンクされているタイトルリスト内のオブジェクトおよびテキストファイル内のオブジェクトも同時に削除するので、削除されたＡＶデータに対応する管理情報や管理情報（テキスト情報やテキストファイル）を外部機器が削除する必要がなく、リスト管理の一元化を図ることができる。また、記録媒体に記録された内容を即座にリストに反映することができる。
【００６６】
（実施の形態５）
本発明の実施の形態５によるデータ送受信装置について、図１、図４、図９を参照しながら説明する。本実施の形態は、本発明の第５の発明のデータ送受信装置および方法についての例である。
図１のデータ送受信装置の基本的動作については、実施の形態１と同様である。また、光ディスク１０７には、実施の形態１と同じデータが記録されているとする。すなわち、初期状態においてリスト変換手段１０９が生成するリストの構造は、図４の通りである。
【００６７】
今ここで、曲Ｂが分割されて曲Ｂａと曲Ｂｂになる場合のデータ送受信装置の動作について図９を用いて説明する。この際、曲Ｂに対応するオブジェクトであるオーディオリスト２０１の第２オブジェクト２０４が２つに分割されて、第２オブジェクト６０４と第３オブジェクト６０５となる。ここで第２オブジェクト６０４の構成は分割される前の第２オブジェクト２０４と同じである。ただし、再生時間６２４は分割された分だけ短い値となる。
【００６８】
また新たに生成されたオブジェクトである第３オブジェクト６０５は、第１オブジェクト２０３、第２オブジェクト６０４と同様に、再生時間６２７、タイトルへのポインタ６２８、テキストファイル情報へのポインタ６２９から構成される。
またタイトルリスト２３１には、新たに第３オブジェクト６３５が生成され、タイトルへのポインタ６２８には、タイトルリスト２３１の第３オブジェクト６３５へのポインタ（ＩＤ）が記述される。タイトルリスト２３１の第３オブジェクト６３５の内容は、曲Ｂｂのタイトル６４３である。分割された時点でのタイトル６４３の内容は、曲Ｂのタイトルをそのままコピーした内容を保持する、または空である、等の状態を取ることができる。
【００６９】
また第２テキストファイルリスト３５１には、新たに第３オブジェクト６５５が生成され、タイトルへのポインタ６２９には、第２テキストファイルリスト３５１の第３オブジェクト６５５へのポインタ（ＩＤ）が記述される。第２テキストファイルリスト３５１の第３オブジェクト６５５の内容は、第１オブジェクト３５３、第２オブジェクト３５４と同様の構成であり、曲Ｂｂに対応する歌詞ファイルの管理情報６６５、アーティスト情報ファイルの管理情報６６６から構成される。曲Ｂが分割された時点での曲Ｂｂの歌詞ファイル（テキストファイルそのもの）は、空ファイル、または曲Ｂが分割された時点からの歌詞データを含むファイル、等の状態を取ることができる。すなわち、もし、歌詞ファイルが歌詞の時間情報を含む形式のファイルである場合、その時間情報に基づいて、歌詞ファイルを２つのファイルに分割してもよい。たとえば、分割前の曲Ｂが１８０［ｓ］の長さを持っており、これを最初から６０［ｓ］の曲Ｂｂと、その後の１２０［ｓ］の曲Ｂｂに分割した場合、歌詞ファイルも時間情報６０［ｓ］までを曲Ｂａの歌詞ファイル、６０［ｓ］から後を曲Ｂｂの歌詞ファイルとして分割し、これらの新たな歌詞ファイル管理情報を歌詞ファイルの管理情報６６４、６６６に記述してもよい。
また、曲Ｂが分割された時点での、曲Ｂｂのアーティスト情報ファイル（テキストファイルそのもの）は、曲Ｂのアーティスト情報ファイルのコピー、または空ファイル等の状態を取ることができる。テキストファイルの状態により、曲Ｂｂに対応する歌詞ファイルの管理情報６６５やアーティスト情報ファイルの管理情報６６６の内容（例えばファイルサイズ）は決定される。
【００７０】
以上のように本発明のデータ送受信装置では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。そしてあるＡＶデータが分割された場合には、分割された新たに生成されたＡＶデータに対応するテキストデータ、テキストファイルの管理情報を新しいオブジェクトとしてテキストデータ、テキストファイルの管理情報のリストに追加する。そして、新たに生成されたＡＶデータに対応するオブジェクトに、新たに生成されたテキストデータ、テキストファイルの管理情報のオブジェクトに対するリンク情報を記述する。
【００７１】
このように本発明のデータ送受信装置を用いることにより、ＡＶデータの属性データであるテキスト情報やテキストファイルに対して外部機器からアクセスする際に、ＡＶデータの管理情報からリンクを辿ることによりアクセスすることができる。またその際には、テキスト情報およびテキストファイルが同じ構成で記述されているので、外部機器からはテキスト情報およびテキストファイルに同じ手順でアクセスすることができ、外部機器からのアクセスの簡易化を図ることができる。またこの際に、あるＡＶデータが分割された場合に、分割されて新たに生成されたＡＶデータについても、タイトルリスト内のオブジェクトおよびテキストファイル内のオブジェクトを生成し、新たに生成されたＡＶデータのオブジェクトからリンクを張る。よって、外部機器からのコマンドにより記録媒体に記録されているＡＶデータを分割した場合でも、外部機器からは新たに生成されたＡＶデータに対応する管理情報や管理情報（テキスト情報やテキストファイル）に対応するオブジェクトを生成する必要がなく、リスト管理の一元化、処理の簡略化を図ることができる。
【００７２】
（実施の形態６）
本発明の実施の形態６によるデータ送受信装置および方法について、図１、図１０を用いて説明する。本実施の形態は、本発明の第６の発明のデータ送受信装置および方法についての例である。図１のデータ送受信装置の基本的動作については、実施の形態１と同様である。以下の説明では、コンテンツ群としては静止画、第１のリストとしては第１静止画リスト、第２のリストとしては第２静止画リストを例とする。
【００７３】
ここでは、光ディスク１０７には、オーディオデータ（曲Ａ、Ｂ）、静止画データ（Ａ〜Ｃ）が記録されているとする。ここで、リスト変換手段１０９が生成するリストの構造を図１０に示す。図１０は、コンテンツリスト２７１、オーディオリスト２０１、静止画リスト６３１の構造を示した模式図である。
コンテンツリスト２７１は、光ディスク１０７に記録されているデータの全体を示すリストである。コンテンツリスト２７１は第１〜第３オブジェクト２７３〜２７５を含んでいる。第１〜第３オブジェクト２７３〜２７５はディレクトリを表すオブジェクトであり、それぞれオーディオリスト２０１、第１静止画ファイルリスト７８１、第２静止画ファイルリスト７５１を１階層下のリストとして有している。
【００７４】
オーディオリスト２０１は、リストヘッダ２０２、第１オブジェクト２０３、第２オブジェクト２０４から構成される。ここで第１オブジェクト２０３および、第２オブジェクト２０４はそれぞれ曲Ａ、Ｂの管理情報に対応している。また、リストヘッダ２０２は、オブジェクト数２１３から構成されている。ここではオブジェクト数は２となる。
【００７５】
第１オブジェクト２０３、第２オブジェクト２０４はそれぞれ曲Ａ、Ｂの管理情報（再生時間、記録日時、データフォーマット等）２２１、２２４から構成される。
第１静止画リスト７８１は、リストヘッダ７８２、第１オブジェクト７８３から構成される。第１オブジェクト７５３は静止画Ａに対応し、静止画Ａの管理情報（データサイズ、データフォーマット等）７９１を含んでいる。ここで第１オブジェクトとして管理情報が含まれている静止画Ａは、ディスク全体を代表する静止画であり、例えばジャケットピクチャのようなものである。このような静止画は、例えばディスクが停止しているときに再生するような目的で用いられる。なお、ここでは、第１静止画リスト７８１は、１つのオブジェクトしか持たない例を示したが、オブジェクトの数はディスクに記録されているディスク全体を代表する静止画の枚数によって決まる。
【００７６】
なお、記録媒体を代表する静止画データが無い場合には、第１静止画ファイル７８１は少なくとも一つの空オブジェクトを用意しておく。
第２静止画リスト７５１は、リストヘッダ７５２、第１オブジェクト７５３、第２オブジェクト７５４から構成される。第１オブジェクト７５３、第２オブジェクト７５４はそれぞれ静止画Ｂ、Ｃにそれぞれ対応する。そして、第１オブジェクト７５３、第２オブジェクト７５４はそれぞれ静止画Ｂ、Ｃの管理情報（データサイズ、データフォーマット等）７６１、７６３を含んでいる。
【００７７】
これにより、ディスク全体を代表する静止画ファイルに関する管理情報は第１静止画リスト７８１に記述されているので、外部機器からディスク全体を代表する静止画ファイルの管理情報にアクセスする場合には、コンテンツリスト２７１を読み出して第１静止画リスト７８１のＩＤを読み出した後に、第１静止画リスト７８１にアクセスする。また、ディスク全体を代表する静止画ファイルのデータを再生させる場合には、コンテンツリスト２７１を読み出して第１静止画リスト７８１のＩＤを読み出した後に、静止画リスト６３１を指定して再生コマンド（データ出力コマンド）を外部機器からデータ送受信装置に対して送信する。
【００７８】
個々の静止画に対するアクセスも同様の手順で行うことができる。
以上のように本発明のデータ送受信装置では、ＡＶデータ、静止画データなどが記録されている記録媒体に対してディジタルインターフェースを介してアクセスする際に、記録媒体の管理情報をリスト構造で表現する。そのリスト構造としては、ＡＶデータ、記録媒体を代表する静止画データ、その他の静止画データの管理情報毎にリストを生成する。
【００７９】
また、ＡＶデータのリストを指定した再生コマンドが外部機器から送信されてきた場合には、ＡＶデータのリストの先頭の第１オブジェクトに対応するＡＶデータから再生を開始する。
このように本発明のデータ送受信装置を用いることにより、ＡＶデータに付随していないデータ群も、実施形態２で説明したＡＶデータに付随するデータに対するのと同様な方法で管理されるので、リスト構造の統一化を図ることができ、かつ外部機器からこれらのデータまたはこれらのデータの管理情報にアクセスする際にアクセスの簡易化を図ることができる。
【００８０】
また、本発明のデータ送受信装置を用いることにより、ＡＶデータとそれに付随したデータ、付随していないデータとを同期して再生する場合にも、リストの形式が同じであるため、操作が容易に実行できる。
以下にその例を示す。
図１のデータ送受信装置を用い、リスト変換手段１０９が生成するリストの構造は図４、ただし、静止画リストについては、図１０に示されているものとする。さらに、リスト変換手段１０９は、図４、１０に示すリストに加えて、図１１のプログラム再生リスト９０１、同期プログラム再生リスト９５１を生成する。
【００８１】
プログラム再生リスト９０１は、オーディオデータに対する静止画データの再生のタイミングを記述するためのリストである。
プログラム再生リスト９０１は、リストヘッダ９０２、第１オブジェクト９０３、第２オブジェクト９０４から構成される。ここで第１オブジェクト９０３、第２オブジェクト９０４はディレクトリオブジェクトであり、それぞれ下の階層のリストであるプログラム再生リストＡ９１１、プログラム再生リストＢ９２１を有している。
【００８２】
プログラム再生リスト９０１の第１オブジェクト９０２の下の階層のリストであるプログラム再生リストＡ９１１は、リストヘッダ９１２、第１オブジェクト９１３、第２オブジェクト９１４から構成されている。これらには、オーディオリスト２０１の第１オブジェクト２０３（曲Ａ）と同期して再生すべき静止画（静止画Ａ，Ｂ）の情報が記述されている。具体的には静止画Ａに対応するオブジェクト７５３へのポインタと、静止画Ｂに対応するオブジェクト７５４へのポインタである。ここでは光ディスク１０７には、図１２に示すように曲Ａに対して静止画Ｂ，Ａがあるタイミングで表示されるように記述された管理情報が記録されているとする。
【００８３】
プログラム再生リストＢ９２１には、オーディオリスト２０１の第２オブジェクト２０４（曲Ｂ）と同期して再生すべき静止画（静止画Ａ）の情報が記述されている。すなわち、第１オブジェクト９２３には静止画Ａの管理情報（オブジェクト７５４）へのポインタ、９４８が記述されている。
同期プログラム再生リスト９５１は、オーディオデータ、静止画データ、テキストファイルなどを同期して再生することを示すためのリストである。同期プログラム再生リスト９５１は、リストヘッダ９５２、第１オブジェクト９５３、第２オブジェクト９５４から構成される。リストヘッダ９５２には、同期して再生したいリストの番号を指定する。ここでは、オーディオリスト２０１、第２テキストファイルリスト３５１、プログラム再生リスト９０１を同期して再生させたいので、これら３つのリストの番号をリスト番号９６１に記述する。第１オブジェクト９５３、第２オブジェクト９５４には３つのリストに記述されているオブジェクトの番号を指定する。図１２に示すような再生を行うようにディスクに記録されているので、第１オブジェクト９５３にはオブジェクト番号１、第２オブジェクト９５４にはオブジェクト番号２が記述される。
【００８４】
同期プログラム再生リスト９５１を指定して再生コマンドがデータ送受信装置に対して送信されてくると、データ送受信装置は同期プログラム再生リスト９５１のリストヘッダ９５２から同期再生すべきリストを判断し、各リストに記述されている順序、再生タイミングで図１２に示すようにオーディオデータ、静止画データ、歌詞ファイルの再生を行う。
【００８５】
また、図１２の静止画データの再生タイミング等を外部機器から変更したい場合には、プログラム再生リスト９０１に対して変更を加える。
以上のように本発明のデータ送受信装置では、ＡＶデータ、静止画データ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータ、静止画データの管理情報、テキストファイルの管理情報毎にリストを生成する。そしてＡＶデータの再生中に静止画データをどのタイミングでどの期間だけ表示するかをプログラム再生リストとして記述し、ＡＶデータのリスト、テキストファイルのリスト、プログラム再生リストを同期して再生するような再生コマンドを外部機器から受信すると、ＡＶデータ、静止画データ、テキストファイルを同期して再生する。静止画リスト、テキストリストは、同期再生の場合にも、同期再生でない場合にも同じリストを用いることができる。
【００８６】
なお、本発明の実施の形態では記録媒体として光ディスクを例に挙げて説明したが、これはデータの管理情報、管理情報を記録する記録媒体であれば、磁気ディスク、磁気テープ、半導体メモリ等であってもかまわない。
また、本発明の実施の形態では、ＡＶデータコンテンツとしてオーディオデータを扱う記録媒体について説明したが、これはビデオデータや静止画を扱う記録媒体であっても良い。
【００８７】
また、本発明の実施の形態では、外部の装置が管理情報にアクセスしてきたときに、データ保持手段１０４に保持された管理情報をリスト変換手段１０９によりリストに変換する構成について説明したが、常に管理情報をリスト構造でデータ保持手段１０４に保持していても構わない。
また、本発明の実施の形態では、ＡＶデータの管理情報の例として、テキスト情報およびテキストファイルを挙げ、これらをリスト構造（タイトルリスト２３１、第１、第２テキストファイルリスト３８１、３５１）で示す場合について説明したが、これは他の管理情報であってもよい。
【００８８】
また、本発明の実施の形態では、テキストファイルとして歌詞ファイル、アーティスト情報ファイルを例として説明したが、これらは他の種類のテキストファイルであってもよい。
また、本発明の実施の形態では、オーディオリスト２０１、第１、第２テキストファイルリスト３８１、３５１がコンテンツリスト２７１の下の階層のリストとして説明したが、これは他の構造であっても良い。例えば、オーディオリスト２０１と第２テキストファイルリスト３５１のみがコンテンツリスト２７１の下の階層のリストであり、タイトルリスト２３１はコンテンツリストと同階層のリストであるような場合がある。
【００８９】
また、本発明の実施の形態では、テキストファイルリストのオブジェクトに歌詞ファイルリストの属性情報とアーティスト情報ファイルの属性情報の両者を記述したが、これらはディレクトリオブジェクトを用いることにより、個別のオブジェクトとして表現してもよい。個別のオブジェクトにすることにより、データの再生出力を個別に制御することができる。
【００９０】
【発明の効果】
以上のように本発明のデータ送受信装置および方法では、ＡＶデータ、ＡＶデータに対するタイトル等のテキストデータが記録されている記録媒体に対してディジタルインターフェースを介してアクセスする際に、記録媒体の管理情報をリスト構造で表現する。そのリスト構造としては、ＡＶデータの管理情報、テキストデータの管理情報毎にリストを生成し、ＡＶデータのリストのオブジェクトには関連するテキストデータ管理情報のリストへのポインタを記述する。これにより、ＡＶデータの属性データであるテキスト情報に対して外部機器からアクセスする際に、ＡＶデータの管理情報からリンクを辿ることによりアクセスすることができ、外部機器からのアクセスの簡易を図ることができる。
【００９１】
また、本発明では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、ＡＶデータ全体を代表するテキストファイルの管理情報、その他のテキストファイルの管理情報毎にリストを生成し、ＡＶデータのリストのオブジェクトには関連するテキストデータおよびテキストファイルの管理情報のリストへのポインタを記述する。これにより、ＡＶデータの属性データであるテキスト情報やテキストファイルに対して外部機器からアクセスする際に、ＡＶデータの管理情報からリンクを辿ることによりアクセスすることができる。また、その際には、ＡＶデータ全体を代表するテキストファイルの管理情報は別ファイルに格納されており、個々のＡＶデータに付属するテキスト情報およびその他のテキストファイルの管理情報が格納されたリストはＡＶデータの管理情報が格納されたリストと同じ構成で記述されているので、外部機器からはテキスト情報およびテキストファイルに同じ手順でアクセスすることができ、外部機器からのアクセスの簡易化を図ることができる。
【００９２】
また、本発明では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。この際に、ＡＶデータに対応するテキストデータ等が記録媒体に記録されていない場合には、テキストデータ等のリスト内のオブジェクトを空としておく。これにより、ＡＶデータの属性データであるテキスト情報やテキストファイルに対して外部機器からアクセスする際に、ＡＶデータの管理情報からリンクを辿ることによりアクセスすることができる。また、その際には、テキスト情報およびテキストファイルが同じ構成で記述されているので、外部機器からはテキスト情報およびテキストファイルに同じ手順でアクセスすることができ、外部機器からのアクセスの簡易化を図ることができる。また、この際に、タイトル等のテキスト情報等が記録媒体に記録されていなくても空のオブジェクトを生成しておくので、外部機器が新たにタイトル等の情報を書き込む場合に、書き込む位置を予め設定しておくことができる。
【００９３】
また、本発明では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。そしてＡＶデータが削除された場合には、削除されたＡＶデータに対応するオブジェクトからリンクされているタイトルリスト内のオブジェクトおよびテキストファイル内のオブジェクトも同時に削除する。これにより、ＡＶデータの属性データであるテキスト情報やテキストファイルに対して外部機器からアクセスする際に、ＡＶデータの管理情報からリンクを辿ることによりアクセスすることができる。また、その際には、テキスト情報およびテキストファイルが同じ構成で記述されているので、外部機器からはテキスト情報およびテキストファイルに同じ手順でアクセスすることができ、外部機器からのアクセスの簡易化を図ることができる。また、この際に、ＡＶデータが削除された場合に、削除されたＡＶデータに対応するオブジェクトからリンクされているタイトルリスト内のオブジェクトおよびテキストファイル内のオブジェクトも同時に削除するので、削除されたＡＶデータに対応する管理情報や管理情報（テキスト情報やテキストファイル）を外部機器が削除する必要がなく、リスト管理の一元化を図ることができる。また、記録媒体に記録された内容を即座にリストに反映することができる。
【００９４】
また、本発明では、ＡＶデータ、ＡＶデータに対するタイトル等のテキストデータ、ＡＶデータに対する歌詞などのテキストファイルが記録されている記録媒体に対してディジタルインターフェースを介してアクセスする際に、記録媒体の管理情報をリスト構造で表現する。そのリスト構造としては、ＡＶデータの管理情報、テキストデータ、テキストファイルの管理情報毎にリストを生成し、ＡＶデータのリストのオブジェクトには関連するテキストデータおよびテキストファイルの管理情報のリストへのポインタを記述する。そしてあるＡＶデータが分割された場合には、分割された新たに生成されたＡＶデータに対応するテキストデータ、テキストファイルの管理情報を新しいオブジェクトとしてテキストデータ、テキストファイルの管理情報のリストに追加する。そして、新たに生成されたＡＶデータに対応するオブジェクトに、新たに生成されたテキストデータ、テキストファイルの管理情報のオブジェクトに対するリンク情報を記述する。これにより、ＡＶデータの属性データであるテキスト情報やテキストファイルに対して外部機器からアクセスする際に、ＡＶデータの管理情報からリンクを辿ることによりアクセスすることができる。また、その際には、テキスト情報およびテキストファイルが同じ構成で記述されているので、外部機器からはテキスト情報およびテキストファイルに同じ手順でアクセスすることができ、外部機器からのアクセスの簡易化を図ることができる。また、この際に、あるＡＶデータが分割された場合に、分割されて新たに生成されたＡＶデータについても、タイトルリスト内のオブジェクトおよびテキストファイル内のオブジェクトを生成し、新たに生成されたＡＶデータのオブジェクトからリンクを張る。よって、外部機器からのコマンドにより記録媒体に記録されているＡＶデータを分割した場合でも、外部機器からは新たに生成されたＡＶデータに対応する管理情報や管理情報（テキスト情報やテキストファイル）に対応するオブジェクトを生成する必要がなく、リスト管理の一元化、処理の簡略化を図ることができる。
【００９５】
また、本発明では、ＡＶデータ、静止画データなどが記録されている記録媒体に対してディジタルインターフェースを介してアクセスする際に、記録媒体の管理情報をリスト構造で表現する。そのリスト構造としては、ＡＶデータ、記録媒体を代表する静止画データ、その他の静止画データの管理情報毎にリストを生成する。また、ＡＶデータのリストを指定した再生コマンドが外部機器から送信されてきた場合には、ＡＶデータのリストの先頭の第１オブジェクトに対応するＡＶデータから再生を開始する。これにより、ＡＶデータに付随していないデータ群も、実施形態２で説明したＡＶデータに付随するデータに対するのと同様な方法で管理されるので、リスト構造の統一化を図ることができ、かつ外部機器からこれらのデータまたはこれらのデータの管理情報にアクセスする際にアクセスの簡易化を図ることができる。また、ＡＶデータとそれに付随したデータ、付随していないデータとを同期して再生する場合にも、リストの形式が同じであるため、操作が容易に実行できる。
【図面の簡単な説明】
【図１】本発明の実施の形態１によるデータ送受信装置および方法の構成を示すブロック図
【図２】同データ送受信装置および方法でのリスト構造を示す模式図
【図３】同データ送受信装置および方法でのデータのやり取りを示す模式図
【図４】本発明の実施の形態２によるデータ送受信装置および方法でのリスト構造を示す模式図
【図５】同データ送受信装置および方法でのデータのやり取りを示す模式図
【図６】本発明の実施の形態３によるデータ送受信装置および方法でのリスト構造を示す模式図
【図７】同データ送受信装置および方法でのデータのやり取りを示す模式図
【図８】本発明の実施の形態４によるデータ送受信装置および方法でのリスト構造を示す模式図
【図９】本発明の実施の形態５によるデータ送受信装置および方法でのリスト構造を示す模式図
【図１０】本発明の実施の形態６によるデータ送受信装置および方法でのリスト構造を示す模式図
【図１１】同データ送受信装置および方法でのリスト構造を示す模式図
【図１２】同データ送受信装置および方法での同期再生の例を示す模式図
【図１３】従来のデータ送受信方法でのリスト構造を示す模式図
【図１４】従来のデータ送受信方法での具体的リスト構造を示す模式図
【符号の説明】
１０１  記録再生信号処理手段
１０３  システム制御手段
１０４  データ保持手段
１０５  データ送受信手段
１０８  ディジタルインターフェース
１０９  リスト変換手段
【図１】
0003551045.tif 000002
【図２】
0003551045.tif 000003
【図３】
0003551045.tif 000004
【図４】
0003551045.tif 000005
【図５】
0003551045.tif 000006
【図６】
0003551045.tif 000007
【図７】
0003551045.tif 000008
【図８】
0003551045.tif 000009
【図９】
0003551045.tif 000010
【図１０】
0003551045.tif 000011
【図１１】
0003551045.tif 000012
【図１２】
0003551045.tif 000013
【図１３】
0003551045.tif 000014
【図１４】
0003551045.tif 000015